(57)【要約】      （修正有）【課題】使用者が操作パネルを容易な操作で装置本体から取り外すことのできる電子機器を提供すること。【解決手段】長手方向と垂直な方向に配列された複数のロック部材３ａ、３ｂとそのロック部材３ａ、３ｂの各々と係合する複数の係合溝６ａ、６ｂを保持部２又は操作パネル１に各々に設け、ロック部材３ａ、３ｂと係合溝６ａ、６ｂとが係合した際にその複数のロック部材３ａ、３ｂを同一方向に付勢する弾性部材５の付勢により保持部２と操作パネル１を装着保持し、係合溝６ａ、６ｂにはその付勢力に抗して保持部２と操作パネル１の装着状態を解除する係止壁６ｄ、６ｇが設けられている。【選択図】図４
2004320044.tif 000002
【特許請求の範囲】
【請求項１】
長手形状の保持部と長手形状の操作パネルとを着脱自在に保持する保持機構を備えた電子機器であって、
前記保持機構は、前記保持部と前記操作パネルの一方に設けられたロック手段と、前記保持部と前記操作パネルの他方に設けられ前記ロック手段と係合する係合手段とを有し、
前記ロック手段は、長手方向と垂直な方向に配列された複数のロック部材と、その複数のロック部材の各々を同一方向に付勢する弾性部材とから成り、
前記係合手段は、前記複数のロック部材の各々に対応して配列され、前記複数のロック部材の各々に係合する複数の係合溝から成り、
前記複数のロック部材の各々が前記複数の係合溝の各々と係合し、前記弾性部材が前記複数のロック部材の各々を付勢することにより前記保持部と前記操作パネルとを装着保持するとともに、前記複数の係合溝の少なくとも一つには前記弾性部材の付勢力に抗して前記保持部と前記操作パネルの装着状態を解除する係止壁が設けられていることを特徴とする電子機器。
【請求項２】
前記係止壁は、前記複数の係合溝の各々に設けられていることを特徴とする請求項１に記載の電子機器。
【発明の詳細な説明】
【技術分野】
【０００１】
本発明は、操作パネルが装置本体に対し着脱可能となる電子機器に関する。
【背景技術】
【０００２】
従来では、操作パネルを装置本体に対し着脱可能とする電子機器がある（特許文献１参照）。図６の車載用ＡＶ装置Ｓ１００は、その前面を閉鎖状態とする位置と開放状態とする位置に亘って移動自在となる保持部に操作パネルを着脱可能とするタイプの車載用ＡＶ（オーディオ／ビジュアル）装置であり、図６の（ａ）は操作パネル１０１が装置本体に装着されて、その装置本体の前面１１０を覆う状態とする位置にある状態を示し、（ｂ）は操作パネル１０１が装置本体に装着されたままの状態で、その装置本体の前面１１０を開放状態とする位置にある状態を示している。また、（ｃ）は操作パネル１０１が装置本体から取り外された状態を示している。
【０００３】
図７は、スライド板１０２に対し操作パネル１０１を装着保持する従来の保持機構を示す図である。（ａ）は、図６（ｃ）におけるＢ−Ｂ断面図であり、（ｂ）は、図６（ｂ）におけるＡ−Ａ断面図である。
【０００４】
車載用ＡＶ装置Ｓ１００は、装置本体の前面側に操作パネル１０１を保持する長手平板形状のスライド板１０２が設けられている。
【０００５】
このスライド板１０２は、操作パネル１０１の向って左側上部に設けられた操作釦１０７を操作することで、図示せぬ駆動機構により図６（ａ）に示す状態から図６（ｂ）に示す状態に移動される。また、図６（ｂ）に示すように、操作パネル１０１が装置本体の前面を開放状態とする位置にあるときは、装置本体の前面に設けられた記録媒体挿入口１０８が露出され、ディスクなどの記録媒体の挿入或いは排出が可能となる。
【０００６】
このスライド板１０２の長手方向の両側部には、操作パネル１０１を装着保持するための円柱形状の保持部材１０３が設けられている。この保持部材１０３の各々は、ばね１０４によって図７（ａ）に示す矢印方向に付勢され、その円柱軸がスライド板１０２の平面に沿ってその長手方向と垂直な方向に配されている。また、そのスライド板１０２の略中央下部には切欠き部１０２が形成され、その切欠き部１０２ａの両側には一対の孔１０２ｂが形成されている。
【０００７】
さらに、図７（ｂ）に示すように、操作パネル１０１の裏面には、切欠き部１０２ａ及び孔１０２ｂの各々に対応する位置にストッパ１０１ｄが設けられており、そのストッパ１０１ｄは、釦部１０１ｂと一対の突起１０１ｃとが一体に形成されている。
【０００８】
なお、その釦部１０１ｂが切欠き部１０２ａに嵌入され、一対の突起１０１ｃが一対の孔１０２ｂに嵌入される。さらに、そのストッパ１０１ｄは、ばね１０１ｅによって操作パネル１０１に連結されており、そのばね１０１ｅの弾性力によって図７（ｂ）の矢印方向に付勢されている。また、操作パネル１０１の両側部には、保持部材１０３と係合するための凹部１０１ａが形成されている。
【０００９】
このような構成を備える従来の車載用ＡＶ装置Ｓ１００では、スライド板１０２の保持部材１０３と操作パネル１０１の凹部１０１ａとを係合させ、さらに、スライド板１０２に形成された切欠き部１０２ａと一対の孔１０２ｂとに操作パネル１０１の釦部１０１ｂと一対の突起部１０１ｃとを各々嵌入させることで、スライド板１０２が操作パネル１０１を装着保持する。
【００１０】
また、スライド板１０２に装着保持された操作パネル１０１を取り外す場合、まず、図６（ａ）に示す状態から、使用者が操作釦１０７を操作してスライド板１０２を図６（ｂ）に示す状態まで移動させる。次に、使用者がストッパ１０１ｄの釦部１０１ｂをばね１０１ｅの弾性力に抗って押圧し、一対の突起１０１ｃと一対の孔１０２ｂとの嵌入状態を解除する。
【００１１】
さらに、その釦１０１ｂを押圧しながら、操作パネル１０１を図６（ｂ）に示す矢印方向に引き出す。すると、保持部材１０３が凹部１０１ａに沿ってその全長分摺動され、保持部材１０３と凹部１０１ａとの係合が解除される。その結果、図６（ｃ）に示すように、操作パネル１０１がスライド板１０２から取り外される。
【００１２】
なお、操作パネル１０１がスライド板１０２から取り外されたことを図示せぬ検出手段が検出すると、スライド板１０２は装置本体の前面を覆う状態とする位置に移動される。
【特許文献１】特開１９９８−２３０７９６公報
【発明の開示】
【発明が解決しようとする課題】
【００１３】
上記した従来の車載用ＡＶ装置Ｓ１００では、スライド板１０２に装着保持された操作パネル１０１を取り外す場合、使用者が釦部１０１ｂを押しながら操作パネル１０１を引き出して取り外さなければならないため、その取り外し操作が容易に行えない構成となっていた。
【００１４】
さらに、使用者が釦部１０１ｂを押しながら操作パネル１０１を引き出すときは、操作パネル１０１の凹部１０１ａに沿って保持部材１０３をその全長分を摺動させなければならないため、その摺動途中で操作パネル１０１の姿勢が斜めになりやすくなり、結果的に取り外しずらくさせてしまっていた。
【００１５】
本発明は、上述の問題点を一例としてなされたものであり、使用者が操作パネルを容易に装置本体から取り外すことのできる電子機器を提供することを目的とする。
【課題を解決するための手段】
【００１６】
請求項１記載の発明は、長手形状の保持部と長手形状の操作パネルとを着脱自在に保持する保持機構を備えた電子機器であって、前記保持機構は、前記保持部と前記操作パネルの一方に設けられたロック手段と、前記保持部と前記操作パネルの他方に設けられ前記ロック手段と係合する係合手段とを有し、前記ロック手段は、長手方向と垂直な方向に配列された複数のロック部材と、その複数のロック部材の各々を同一方向に付勢する弾性部材とから成り、前記係合手段は、前記複数のロック部材の各々に対応して配列され、前記複数のロック部材の各々に係合する複数の係合溝から成り、前記複数のロック部材の各々が前記複数の係合溝の各々と係合し、前記弾性部材が前記複数のロック部材の各々を付勢することにより前記保持部と前記操作パネルとを装着保持するとともに、前記複数の係合溝の少なくとも一つには前記弾性部材の付勢力に抗して前記保持部と前記操作パネルの装着状態を解除する係止壁が設けられていることを特徴としている。
【発明を実施するための最良の形態】
【００１７】
次に、本発明の好適な実施の形態について図面を参照しながら説明する。
【００１８】
図１は、本発明に好適な実施形態における車載用ＡＶ装置Ｓ１を示す図である。（ａ）は操作パネル１が装置本体に装着保持されて、その装置本体の前面１１０を覆う状態とする位置（以下第１の位置と称して説明する）にある状態を示し、（ｂ）は操作パネル１が装置本体に装着保持されたままの状態で、その装置本体の前面１１０を開放状態とする位置（以下第２の位置と称して説明する）にある状態を示している。また、（ｃ）は操作パネル１が装置本体から取り外された状態を示している。
【００１９】
なお、図１に示す車載用ＡＶ装置Ｓ１の各構成中、先述した従来の車載用ＡＶ装置Ｓ１００と同様の構成部分については、同一符号を付してあり、ここでは、それらの説明は重複するので省略する。
【００２０】
長手形状である操作パネル１は、その表面側には車載用ＡＶ装置Ｓ１の各種動作指令を行うための各種複数の操作釦１０が設けられている。
【００２１】
また、操作パネル１の裏面側の両側には、略Ｌ字状の凹部１ａが形成されており、この凹部１ａには、ロック部３と係合する係合手段である一対の係合部が形成されている。
【００２２】
一方、装置本体の前面側には、操作パネル１を装着保持するための長手平板形状のスライド板２が設けられている。このスライド板２は、使用者が操作パネル１の向って左側上部に設けられた操作釦１１を操作することで、後述する駆動機構によって第１の位置と第２の位置とに亘って移動可能となるように設けられている。また、図１（ｃ）に示すように、スライド板２の両側部には、操作パネル１を装着保持するためのロック手段である一対のロック部３がそれぞれ設けられている。なお、これら係合部とロック部３の詳細については後述する。
【００２３】
スライド板２には、操作パネル１の各種操作釦１０及び操作釦１１の操作による電気信号を電気的に接続する接続端子１０６が設けられている。スライド板２が操作パネル１を装着保持した状態で、使用者が各種操作釦１０又は操作釦１１を操作すると、その操作に応じた電気信号が接続端子１０６を介して装置本体に伝送されて各種動作状態となる。
【００２４】
図２は、スライド板２を第１の位置と第２の位置に亘って移動自在とする駆動機構を示した図である。（ａ）は、図１（ａ）におけるＡ−Ａ断面図を示し、（ｂ）は、図１（ｂ）におけるＢ−Ｂ断面図を示す。
【００２５】
スライド板２の側部の上端には略く形状の連結部材７の一方端７ｂが枢支されている。また、その他方端７ｃは、固定シャーシ４の側面に枢支されている。スライド板２の側部の下端には、装置本体内部に設けられた図示せぬ駆動源からの駆動力によって装置本体の内外方向に移動する支持部材８の一方端８ａが枢支されている。
【００２６】
また、連結部材７には突起７ａが設けられており、固定シャーシ４には、連結部材７の一方端７ｂが図２（ａ）中のＹ方向に所定角度回動した際に，その突起７ａと当接する位置にストッパ４ａが設けられている。
【００２７】
なお、ここでは、スライド板２の向って右側に設けられた駆動機構の構成について説明したが、スライド板２の向って左側にもその構成と同じ構成を備えている。
【００２８】
上記した駆動機構によってスライド板２は、次のように動作する。
【００２９】
操作パネル１を装着保持したスライド板２が第１の位置にある状態から、使用者が操作釦１１を押下すると、装置本体内部に設けられた駆動源からの駆動力を受けて支持部材８が装置本体内部から外部方向（図２（ａ）に示すＸ方向）に移動する。すると、その一方端８ａを支点としてスライド板２の上端部が装置本体の前面に沿った方向に移動する。
【００３０】
連結部材７の一方端７ｂは、そのスライド板２の移動に伴って、他方端７ｃを支点として図２（ａ）に示すＹ方向に回動する。連結部材７が所定角度回動すると、突起７ａがストッパ４ａに当接してスライド板２の回動が停止される。これにより、第２の位置に操作パネル１を装着保持したスライド板２が移動される。
【００３１】
次に、スライド板２が操作パネル１を装着保持する保持機構について、図３乃至図５を用いて説明する。
【００３２】
図３は、ロック部３を示す図である。（ａ）は、図１（ｃ）におけるＤで示す部分（点線で囲んだ部分）の拡大図であり、（ｂ）は、その図３（ａ）を裏側から見た図である。
【００３３】
図４は、係合手段である係合部６及びその係合部６にロック部３が係合した状態を示す図である。（ａ）は、図１（ｂ）におけるＣ−Ｃ断面図であり、（ｂ）は、その図４（ａ）におけるＡ−Ａ断面図である。
【００３４】
また、図５は、使用者の手動操作により、ロック部３と係合部６との係合状態が解除されていく様子を示した図である。（ａ）は、その係合状態が解除されていく途中の様子を示しており、（ｂ）は、その係合状態が解除された直後の様子を示している。また、（Ｃ）は、ロック部３と係合部６との係合状態が完全に解除された様子を示している。
【００３５】
先ず、ロック手段であるロック部３の構成について説明する。
【００３６】
なお、スライド板２の両側部に設けられた一対のロック部３は同等の構成を備えているため、代表してスライド板２の向って左側部に設けられたロック部３について説明する。
【００３７】
図３に示すように、ロック部３は、連結部３ｇによって一体的に連結された複数のロック部材３ａ，３ｂと、それらロック部材３ａ，３ｂを図中Ｘ方向に付勢するばね５により構成されている。
【００３８】
ロック部材３ａ，３ｂは、スライド板２の平面に沿ってその長手方向と垂直な方向に配列して設けられ、スライド板２の両側部に形成された切欠孔２ａ，２ｂに貫装されている。ばね５の中央部は、スライド板２の裏面から突出する固定ピン２ｃに巻回され、その両端部５ａ，５ｂは、ロック部材３ａ，３ｂのスライド板２の裏面側に位置する下部に接合されている。つまり、ばね５は、その固定ピン２ｃに巻回された中央部を支点として、各々ロック部材３ａ，３ｂを図３（ａ）に示すＸ方向、つまり、スライド板２の長手方向であってその内側に向って付勢している。
【００３９】
ロック部材３ａ、３ｂのスライド板２の表面側に位置する上部には、各々凸形状のロック突出部３ａ１，３ｂ１が形成されている。それらロック突出部３ａ１，３ｂ１の先端部がスライド板２の中央方向に向けられ、それらが平行となるようにして配されている。
【００４０】
次に、係合手段の構成について説明する。
【００４１】
なお、この係合手段は、操作パネル１の両側部の凹部１ａに形成された一対の係合部６にて構成され、また、それらは同等の構成を備えているため、代表して操作パネル１の表面側から向って左側の凹部１ａに形成された係合部６について説明する。
【００４２】
図４（ａ）に示すように、係合部６は、複数の係合溝６ａ，６ｂで構成されている。係合溝６ａは、操作パネル１の裏面側に形成された凹部１ａの底面部２０ａからその凹部１ａの側面部２０ｂに平行となる方向に立設しロック部材３ａと係合する高さＨの係合壁６ｃと、側面部２０ｂと垂直な方向であって、かつその一方側部が係合壁６ｃの一方側部と接合する（図中ａで示す部分）ように底面部２０ａから立設しその係合壁６ｃよりも低い高さｈを有する係止壁６ｄと、係合壁６ｃの他方側部とその一方側部が接合する（図中ｃで示す部分）するように底面部２０ａから立設し係合壁６ｃと同じ高さＨを有する傾斜壁６ｉとを備えている。その傾斜壁６ｉの他方側部と係止壁６ｄの他方側部は、凹部１ａの側面部２０ｂと接合している（図中ｄ、ｆで示す部分）。
【００４３】
また、係合溝６ｂは、底面部２０ａから側面部２０ｂと平行となる方向に立設しロック部材３ｂと係合する高さＨの係合壁６ｆと、側面部２０ｂと垂直となる方向であって係合壁６ｆの一方側部とその一方側部とが接合する（図中ｅで示す部分）するように底面部２０ａから立設し係合壁６ｆの高さＨよりも低い高さｈを有する係止壁６ｇとを備えている。その係止壁６ｇの他方側部は、凹部１ａの側面部２０ｂと接合している（図中ｂで示す部分）。
【００４４】
ここで、係合溝６ａと係合溝６ｂは、操作パネル１の裏面に沿ってその長手方向と垂直な方向であって、係合溝６ａの傾斜壁６ｉと係合溝６ｂの係止壁６ｇとが互いに近設するようにして配列されている。また、接合部ｄと接合部ｃとは互いに対向する位置ではなく、接合部ｄを接合部ｃより係止壁６ｇ寄りに位置させている。つまり、それら接合部の位置をずらすことにより、傾斜壁６ｉは、係止壁６ｇから離れる方向に向って傾斜するようにして底面部２０ａから立設されている。
【００４５】
上述した構成を備えるロック手段と係合手段は、複数のロック部材３ａ，３ｂと複数の係合溝６ａ，６ｂとが係合することによって、スライド板２、つまり、装置本体に操作パネル１を装着保持する。より具体的には、図４（ｂ）に示すように、ロック部材３ａのロック突出部３ａ１と係合溝６ａの係合壁６ｃとが係合し、さらに、ばね５がロック部３ａを図中Ｚ方向へ付勢することによって装着保持する。なお、ロック部材３ｂと係合溝６ｂについても同様の作用を有する。
【００４６】
また、ロック部材３ａが係合溝６ａと係合するときは、ロック突出部３ａ１の先端部の一側部が係止壁６ｄと当接する。つまり、ロック部材３ａ，３ｂと係合溝６ａ，６ｂとは、それらのロック突出部３ａ１，３ｂ１の先端部の一側部が係止壁６ｄ，６ｇと当接して係合するように位置付けられている。
【００４７】
この係止壁６ｄ，６ｇの各々は、操作パネル１を装着保持した状態でスライド板２が第1の位置から第２の位置に移動されるとき、そのスライド板２のスライド方向（図１（ｂ）で示す矢印方向）に働く力によってロック突出部３ａ１，３ｂ１と係合壁６ｃ，６ｆとの係合状態が解除されてしまうことを防止している。
【００４８】
つまり、各係止壁６ｄ，６ｇの高さｈは、スライド板２の移動によってそのスライド方向に働く荷重に耐えられる高さであり、その係止壁６ｄ，６ｇがロック突出部３ａ１，３ｂ１の一側部を係止することで、スライド板２から操作パネル１が使用者の意思に反して離脱されてしまうことを防止できる。
【００４９】
使用者が、上述の構成を備えるロック手段と係合手段との係合状態を解除して、スライド板２に装着保持された操作パネル１を取り外すときは次のようにして行われる。
【００５０】
先ず、使用者が操作パネル１の操作釦１１を操作して、スライド板２を図１（ａ）に示す第１の位置から図１（ｂ）に示す第２の位置に移動させる。次に、使用者が、スライド板２に装着保持されている操作パネル１を図５（ａ）に示す矢印Ｂ方向（図１（ｂ）に示す矢印方向）へ引き出すと、各ロック突出部３ａ１，３ｂ１がそれぞれの係止壁６ｄ，６ｇに押圧される。
【００５１】
さらに、使用者が引き出し続けると、それらの係止壁６ｄ，６ｇにスライド板２の移動によって生じる荷重以上の力がかかり、その力によってばね５がその付勢力に抗して押し広げられ、ロック突出部３ａ１，３ｂ１と係合壁６ｃ，６ｆとの係合状態が解除される。そして、ロック突出部３ａ１，３ｂ１は、各高さｈの係止壁６ｄ，６ｇを乗り越えようとする（その状態を図５（ａ）に示す）。なお、各係止壁６ｄ，６ｇの高さｈは、各係合壁６ｃ，６ｆの高さＨよりも低いため、各ロック突出部３ａ１，３ｂ１が各係止壁６ｄ，６ｇを乗り越える際に、各ロック突出部３ａ１，３ｂ１の移動軌跡がずれることなく正確に乗り越えさせることができる。
【００５２】
そして、各ロック突出部３ａ１，３ｂ１が各係止壁６ｄ，６ｇを乗り越えると、ロック突出部３ｂ１は、傾斜壁６ｉの略中央部に当接する（この状態を図５（ｂ）に示す）。図５（ｂ）の状態から、使用者がさらに操作パネル１を引き出し続けると、ロック突出部３ｂ１はその傾斜壁６ｉの傾斜に沿って移動し、操作パネル１は図５（ｂ）の矢印ｃ方向に離脱される。
【００５３】
そして、図５（ｃ）に示すように、ロック部材３ａ，３ｂと係合溝６ａ，６ｂとの係合状態は完全に解除され、図１（ｃ）に示すように操作パネル１は完全にスライド板２から取り外される。
【００５４】
なお、この傾斜壁６ｉは、係止壁６ｇの高さｈよりも高い高さＨを有しているため、係止壁６ｇを乗り越えた勢いで傾斜壁６ｉを乗り越えさせない。つまり、ロック突出部３ｂ１が係合溝６ａ内への侵入し、係合壁６ｃとロック突出部３ｂ１とが係合されてしまうことを防止するとともに正確にその傾斜に沿ってロック突出部３ａ１を移動させることができる。
【００５５】
以上により、スライド板２から操作パネル１を取り外す場合には、使用者は、各ロック突出部３ａ１，３ｂ１を係止壁６ｄ，６ｇを乗り越える距離だけ移動させればよい。従って、操作パネル１の引き出し量を少なくすることができるため、使用者は、操作パネル１をスライド板２、つまり、装置本体から容易に取り外すことができる。
【００５６】
なお、ここでは、スライド板２の向って左側部に設けられたロック手段と操作パネル１の表面側から見て左側部の凹部１ａに形成された係合手段との係合状態の解除について説明したが、スライド板２の向って右側部に設けられたロック手段と操作パネル１の表面側から見て右側の凹部１ａに形成された係合手段についても、上述と同様にして係合状態が解除される。
【図面の簡単な説明】
【００５７】
【図１】本発明に好適な実施形態における車載用ＡＶ装置Ｓ１を示す図。
【図２】スライド板２を移動させる駆動機構を示す図。
【図３】ロック手段を示す図。
【図４】係合手段とその係合手段に係合したロック手段を示す図。
【図５】ロック手段と係合手段との係合状態が解除されていく様子を示した図。
【図６】従来の車載用ＡＶ装置Ｓ１００を示す図。
【図７】従来の保持機構を示す図。
【符号の説明】
【００５８】
１・・・・・操作パネル
２・・・・・スライド板
２ａ、２ｂ・・・・・切欠孔
２ｃ・・・・・固定ピン
３ａ，３ｂ・・ロック部
３ａ１，３ｂ１・・ロック突出部
４・・・・・固定シャーシ
４ａ・・・・・ストッパ
５・・・・・ばね
６・・・・・係合部
６ａ，６ｂ・・・・・係合溝
６ｃ，６ｆ・・・・・係合壁
６ｄ，６ｇ・・・・・係止壁
６ｉ・・・・・傾斜壁
７、８・・・・・連結部材
７ａ・・・・・突起
【図１】
2004320044.tif 000003
【図２】
2004320044.tif 000004
【図３】
2004320044.tif 000005
【図４】
2004320044.tif 000006
【図５】
2004320044.tif 000007
【図６】
2004320044.tif 000008
【図７】
2004320044.tif 000009